(57)【要約】【課題】  ＣＤ、ＤＶＤ等のディスクドライブ装置を搭載した電子機器において、特別な調整機構部品を使用することなく電子機器のフロントパネルとディスクトレイとの取付位置調整機構を提供する。【解決手段】  電子機器本体シャーシに固着されたディスクドライブ装置と、前記本体シャーシの左右に立設されたサイドフレーム間に取り付けられたサブシャーシと、前記左右のサイドフレーム間でサブシャーシを上下方向にその装着位置を調整可能に取り付ける機構と、前記サブシャーシ上下部に嵌合するリブを備え、かつディスクトレイが出入りする開口部を有するフロントパネルとからなり、前記上下左右前後方向にその装着位置を調整可能に取り付ける機構により、ディスクドライブ装置のディスクトレイが前記フロントパネルに設けられた開口部と上下左右に均等な隙間を保持して出入り可能になるよう前記サブシャーシとサイドフレームとフロントパネルの上下左右前後位置関係を調整可能にした。【選択図】  図１
2008146694.tif 000002
【特許請求の範囲】
【請求項１】
ＣＤ、ＤＶＤ等のディスクドライブ装置（１０）を搭載した電子機器（１）において、前記電子機器（１）本体シャーシと、該電子機器（１）本体シャーシに固着されたディスクドライブ装置（１０）と、前記本体シャーシの左右に立設されたサイドフレーム（５）、（６）と、該サイドフレーム（５）、（６）間に取り付けられた矩形状のサブシャーシ（３）と、前記左右のサイドフレーム（５）、（６）間で前記サブシャーシ（３）を上下方向にその装着位置を調整可能に取り付ける機構と、前記サブシャーシ（３）上下部に嵌合するリブ（２ａ、２ｃ）を備え、かつ前記ディスクドライブ装置（１０）のディスクトレイ（１４）が出入りする開口部（２ｅ）を有するフロントパネル（２）と、からなり、前記上下方向にその装着位置を調整可能に取り付ける機構により、前記電子機器（１）本体シャーシに固着されたディスクドライブ装置（１０）のディスクトレイ（１４）が前記フロントパネル（２）に設けられた開口部（２ｅ）と上下に均等な隙間を保持して出入り可能になるよう前記サブシャーシ（３）とサイドフレーム（５）、（６）との上下位置関係を調整可能にしてなることを特徴とするディスクドライブ装置を搭載した電子機器のフロントパネル取付位置調整機構。
【請求項２】
前記電子機器（１）が、さらに前記サブシャーシ（３）の上下部と前記フロントパネル（２）のリブ（２ａ、２ｃ）間で前記フロントパネル（２）を左右・前後方向にその装着位置を調整可能に取り付ける機構を備え、前記左右・前後方向にその装着位置を調整可能に取り付ける機構により、前記電子機器（１）本体シャーシに固着されたディスクドライブ装置（１０）のディスクトレイ（１４）が前記フロントパネル（２）に設けられた開口部（２ｅ）と左右に均等な隙間を保持して出入り可能になるよう前記サブシャーシ（３）とフロントパネル（２）との左右位置関係を調整可能にしてなり、また、前記フロントパネル（２）に設けた開口部（２ｅ）の表面とディスクトレイ（１４）前部との前後位置関係を調整可能になるよう前記サブシャーシ（３）に前記フロントパネル（２）が装着されてなることを特徴とする請求項１に記載のディスクドライブ装置を搭載した電子機器のフロントパネル取付位置調整機構。
【請求項３】
前記サブシャーシ（３）を上下方向にその装着位置を調整可能に取り付ける機構が、前記サブシャーシ（３）の左右に屈曲面を設け、その屈曲面に穿設された取付孔がネジ孔で、前記サイドフレーム（５）、（６）に穿設された取付孔がネジ径より大きく穿設されてなり、両取付孔をネジによって螺合する際、前記サブシャーシ（３）とサイドフレーム（５）、（６）の装着位置関係を上下方向に調整可能にしてなり、また、前記フロントパネル（２）を左右・前後方向にその装着位置を調整可能に取り付ける機構が、前記サブシャーシ（３）の上下部が直角に屈曲され、かつ矩形状の垂直面に前記ディスクトレイ（１４）が出入りするに十分な空間が穿設されてなり、さらに上下部の屈曲面にはそれぞれ複数個の取付孔が穿設され、前記上下部の屈曲面に穿設された複数個の取付孔と前記フロントパネル（２）背面に横設されたリブ（２ａ、２ｃ）に穿設された相対する取付孔とをネジによって螺合する際、サブシャーシ（３）とフロントパネル（２）位置関係を左右・前後調整可能になるよういずれか一方の取付孔をネジ径より大きく穿設してなることを特徴とする請求項１又は２に記載のディスクドライブ装置を搭載した電子機器のフロントパネル取付位置調整機構。
【発明の詳細な説明】
【技術分野】
【０００１】
ＣＤ、ＤＶＤ等のディスクドライブ装置を搭載した電子機器のフロントパネル取付位置調整機構に関する。
【背景技術】
【０００２】
従来、ＣＤ、ＤＶＤ等のディスクドライブ装置を搭載した電子機器において、ディスクドライブ装置を電子機器の本体シャーシに固着し、前記ディスクドライブ装置のディスクトレイが出入するフロントパネルの開口部と、前記ディスクトレイの前面に配設されたディスクトレイパネル周囲部とで形成される間隙を均一にするため前記ディスクトレイパネルを移動して調整していることが多かった。    
【０００３】
図４及び図５において、ディスクドライブ装置５４は電子機器本体内部のボトムシャーシ６０上に取り付けられたフレーム８ａを介してベース７に固着されている。またフロントパネル５１はまずサブシャーシ５９に螺着され、該サブシャーシ５９は本体の両サイドに立設されたサイドフレーム５に螺着される。
それぞれの加工誤差によって生ずる前記フロントパネル５１の開口部５１ａとディスクトレイパネル５２との周囲面間の隙間は、ディスクトレイパネル５２背面に取り付けられたブラケット５７のディスクトレイ５３に固定するためのビス孔を若干大きめに穿設し、取付ビス５６をドライバ等で締め付けながらフロントパネル５１とディスクトレイパネル５２の隙間が均等になるようディスクトレイパネル５２の上下・左右位置を調整後取付ビス５６を締め付けている。
【０００４】
このため、予め、取付ビス孔位置にドライバ調整用孔６１ａが穿設されたディスクトレイパネル治具６１を使用して上下・左右位置を調整後、下部取付ビス５８をゆるめてディスクトレイパネル治具６１を取り外した後に正規のディスクトレイパネル５２に交換し、ディスクトレイパネル５２の前後位置を調整してから下部取付ビス５８を締め付けていた。
【０００５】
また、技術文献１では、略中央部に円形状に形成されたディスク装着部を有する略平板形状のトレイと、トレイを前後動自在に保持するレールを内側面に配設し、トレイを収納するハウジングと、トレイがハウジングに収納された状態で前蓋となるパネルとを備えたディスク装置において、パネルに、トレイがハウジングに収納された状態のときにハウジングに当接する当接爪を設け、このパネルの当接部がハウジングに当接することでパネルの位置を確定させる。これにより、パネルがハウジングに対して直接位置決めされるので、電子機器とパネルとの間の隙間のばらつきを低減できる。
【特許文献１】特許公開２００３−３６６６２号公報
【発明の開示】
【発明が解決しようとする課題】
【０００６】
従来例では、ディスクトレイパネル治具を使用して上下・左右位置を調整後、正規のディスクトレイパネルに交換する必要があり、工程が輻輳していた。また、ディスクトレイの薄型化が図られディスクトレイパネル前面からの位置調整機構の装着が困難になった。
【０００７】
技術文献１においては、上下の隙間のばらつきは低減できるが、外装部とパネルの左右の隙間については各部品の加工精度とハウジングの取付位置精度によって決定される。また、一体形成された可撓性を有する左右に取り付けられた取付用アームが前後方向に延伸するなど長期間使用時の耐久性、信頼性に問題が生じる恐れがある。
【課題を解決するための手段】
【０００８】
本願発明者は、上記に鑑み鋭意研究の結果、次の手段によりこの課題を解決した。
（１）ＣＤ、ＤＶＤ等のディスクドライブ装置を搭載した電子機器において、前記電子機器本体シャーシと、該電子機器本体シャーシに固着されたディスクドライブ装置と、前記本体シャーシの左右に立設されたサイドフレームと、該サイドフレーム間に取り付けられた矩形状のサブシャーシと、前記左右のサイドフレーム間で前記サブシャーシを上下方向にその装着位置を調整可能に取り付ける機構と、前記サブシャーシ上下部に嵌合するリブを備え、かつ前記ディスクドライブ装置のディスクトレイが出入りする開口部を有するフロントパネルと、からなり、前記上下方向にその装着位置を調整可能に取り付ける機構により、前記電子機器本体シャーシに固着されたディスクドライブ装置のディスクトレイが前記フロントパネルに設けられた開口部と上下に均等な隙間を保持して出入り可能になるよう前記サブシャーシとサイドフレームとの上下位置関係を調整可能にしてなることを特徴とするディスクドライブ装置を搭載した電子機器のフロントパネル取付位置調整機構。
【０００９】
（２）前記電子機器が、さらに前記サブシャーシの上下部と前記フロントパネルのリブ間で前記フロントパネルを左右・前後方向にその装着位置を調整可能に取り付ける機構を備え、前記左右・前後方向にその装着位置を調整可能に取り付ける機構により、前記電子機器本体シャーシに固着されたディスクドライブ装置のディスクトレイが前記フロントパネルに設けられた開口部と左右に均等な隙間を保持して出入り可能になるよう前記サブシャーシとフロントパネルとの左右位置関係を調整可能にしてなり、また、前記フロントパネルに設けた開口部の表面とディスクトレイ前部との前後位置関係を調整可能になるよう前記サブシャーシに前記フロントパネルが装着されてなることを特徴とする前項（１）に記載のディスクドライブ装置を搭載した電子機器のフロントパネル取付位置調整機構。
【００１０】
（３）前記サブシャーシを上下方向にその装着位置を調整可能に取り付ける機構が、前記サブシャーシの左右に屈曲面を設け、その屈曲面に穿設された取付孔がネジ孔で、前記サイドフレームに穿設された取付孔がネジ径より大きく穿設されてなり、両取付孔をネジによって螺合する際、前記サブシャーシとサイドフレームの装着位置関係を上下方向に調整可能にしてなり、また、前記フロントパネルを左右・前後方向にその装着位置を調整可能に取り付ける機構が、前記サブシャーシの上下部が直角に屈曲され、かつ矩形状の垂直面に前記ディスクトレイが出入りするに十分な空間が穿設されてなり、さらに上下部の屈曲面にはそれぞれ複数個の取付孔が穿設され、前記上下部の屈曲面に穿設された複数個の取付孔と前記フロントパネル背面に横設されたリブに穿設された相対する取付孔とをネジによって螺合する際、サブシャーシとフロントパネル位置関係を左右・前後調整可能になるよういずれか一方の取付孔をネジ径より大きく穿設してなることを特徴とする前項（１）又は（２）に記載のディスクドライブ装置を搭載した電子機器のフロントパネル取付位置調整機構。
【発明の効果】
【００１１】
本願発明によれば、次のような効果が発揮される。
１．本願発明の請求項１、２の発明によれば、
電子機器本体シャーシに固着されたディスクドライブ装置のディスクトレイ前面部と、前記電子機器のフロントパネルとの位置関係を決定する部品の加工等寸法精度がラフでもフロントパネルに設けた開口部をディスクトレイがスムースに出入りすることができ、かつ前記開口部とディスクトレイパネルとの上下左右に均等な隙間と、フロントパネル表面とディスクトレイ前面部の前後位置関係を正確に調整できるので、デザイン的にも高品位な印象を与えることができる。
【００１２】
２．本願発明の請求項３の発明によれば、
請求項１、２の効果に加えて、電子機器本体に固着されたディスクドライブ装置のディスクトレイ前面部と、前記電子機器のフロントパネル開口部との位置関係を、サブシャーシ、フロントパネル及びサイドフレームに穿設された各取付孔をネジで螺着する際に、左右・上下及び前後方向に調整可能にしているので、特別な装置、部品を使用する必要がなく、かつ位置関係を決定する部品の加工等寸法精度がラフでもフロントパネルに設けた開口部を目視しながら、その隙間を微細に設定でき、例えば、高級ステレオ装置に本機構を採用すればより高級感を高めることができるだけではなく、量産性にも優れ、かつコスト低減を図ることができる。
【発明を実施するための最良の形態】
【００１３】
本願発明を実施するための最良の形態を実施例図に基づいて詳細に説明する。
図１は本願発明実施例のディスクドライブ装置を搭載した電子機器のフロントパネル取付位置調整機構の説明用分解斜視図であり、図２は同発明実施例図１のＡ−Ａ’断面図であり、図３は同発明実施例のディスクドライブ装置を搭載した電子機器外観斜視図であり、図４は従来例のディスクドライブ装置を搭載した電子機器のディスクトレイパネル取付位置調整機構断面図であり、図５は従来例のディスクトレイパネル取付位置調整機構拡大断面図である。
【００１４】
本願発明のディスクドライブ装置を搭載した電子機器１は、ＳＡ（Ｓｕｐｅｒ  Ａｕｄｉｏ）−ＣＤソフトの高品位再生のため，ＳＡ−ＣＤソフトに刻まれたポテンシャルを１００％引き出すハイエンドのディスクドライブ装置を、外部振動を受けにくい高剛性・高精度で、かつ低重心で重量設計の強固な構造のシャーシ上に搭載し、高級オーディオ装置のディスクドライブ装置として位置づけている。
【００１５】
図１及び図２において、高精度アルミ平板のボトムシャーシ９とフロントフレーム４、サイドフレーム５、６及びリアパネル１２で構成されるシャーシの前後を接合するП字型のフレーム８ａ、８ｂ上に厚手アルミ材のベース７を載置して固着し、このベース７上にディスクドライブ装置１０が固着され、さらに制振・防音のため重量のある大型アルミ合金製のカバー１３をかぶせ固着している。
【００１６】
前記高精度アルミ平板のボトムシャーシ９、フレーム８ａ、８ｂ及び厚手アルミ材のベース７上に載置され固着されたディスクドライブ装置１０は、したがって精度よく水平度が保持され、フロントパネル２に穿設された開口部２ｅをアルミ金属製ディスクトレイ１４及びディスクトレイパネル１４ａが通過しながら排出・収納動作を行なっている。
【００１７】
前記アルミ金属製ディスクトレイ１４、ディスクトレイパネル１４ａの周囲と、フロントパネル２の開口部２ｅ内面間の隙間を均一に揃えるため、サブシャーシ３とフロントパネル２との取付方で前後・左右位置関係を調整可能に取り付けられ、かつサブシャーシ３とサイドフレーム５、６との取付方で上下位置関係を調整可能に取り付けられている。
【００１８】
前記サブシャーシ３のその上下・左右端面をそれぞれ直角に屈曲された箱状体の垂直面に前記ディスクトレイ１４が出入りするに十分な空間が穿設されており、かつ上下・左右の屈曲面にはそれぞれ複数個の取付孔が穿設されている。
【００１９】
前記サブシャーシ３の上下部の屈曲面に穿設された各４個の取付孔３ａ、３ｂと、前記フロントパネル２背面に横設されたリブ２ａ、２ｃに穿設された前記サブシャーシ３の各４個の取付孔３ａ、３ｂと相対する各４個の取付孔２ｂ、２ｄとをネジ１６ａ、１６ｂによって螺合する際、サブシャーシ３とフロントパネル２との位置関係を前後・左右調整可能になるよういずれか一方の取付孔をネジ径より大きく穿設し、他方にネジ孔を穿設している。
【００２０】
また、前記サブシャーシ３の左右の屈曲面に穿設されたそれぞれ２個の取付孔３ｃ、３ｄがネジ孔で、サイドフレーム５、６に穿設されたそれぞれ２個の取付孔５ａ、６ａがネジ径より大きく穿設されて、両取付孔をそれぞれ２個のネジ１５ａ、１５ｂによって螺合する際、サブシャーシ３とサイドフレーム５、６の装着位置関係を上下方向に調整可能にしている。
【００２１】
ここで、アルミ金属製ディスクトレイ１４、ディスクトレイパネル１４ａの周囲とフロントパネル２の開口部２ｅ内面間の隙間を均一に揃えるため、サイドフレーム５、６とサブシャーシ３及びフロントパネル２をそれぞれのビスで仮止めしておく。
【００２２】
しかる後に、前後・左右及び上下方向の前記隙間を目視しながら、隙間が均一になるようそれぞれのネジ位置を決定し固定する。又は、左右・上下の隙間のそれぞれ片側又は両側に隙間ゲージを挿入して位置調整することも好ましい。
【００２３】
各部の位置調整終了後、ケース１１を取り付ける。図３に示すようにケース１１の外形はフロントパネル２に対して十分大きいため、左右・上下調整によってフロントパネル２がケース１１に対して若干左右・上下にずれても全く意識されないようにデザインされている。
【００２４】
前記ケース１１の大きさは、フロントパネル２に対して大きくデザインすることに限定されることなく、前面からみてケース１１の外形がフロントパネル２より小さく見えなくするようにしてもよい。
【図面の簡単な説明】
【００２５】
【図１】本願発明実施例のディスクドライブ装置を搭載した電子機器のフロントパネル取付位置調整機構の説明用分解斜視図。
【図２】同発明実施例図１のＡ−Ａ’断面図。
【図３】同発明実施例のディスクドライブ装置を搭載した電子機器外観斜視図。
【図４】従来例のディスクドライブ装置を搭載した電子機器のディスクトレイパネル取付位置調整機構断面図。
【図５】従来例のディスクトレイパネル取付位置調整機構拡大断面図。
【符号の説明】
【００２６】
１：電子機器
２：フロントパネル
２ａ、２ｃ：リブ
２ｂ、２ｄ：取付孔
２ｅ：開口部
３：サブシャーシ
３ａ、３ｂ、３ｃ、３ｄ：取付孔
４：フロントフレーム
５、６：サイドフレーム
５ａ、６ａ：取付孔
７：ベース
８ａ、８ｂ：フレーム
９：ボトムシャーシ
１０：ディスクドライブ装置
１１：ケース
１２：リアパネル
１３：カバー
１４：ディスクトレイ
１４ａ：ディスクトレイパネル
１５ａ、１５ｂ、１６ａ、１６ｂ、１７：ネジ
５１：フロントパネル
５１ａ：フロントパネル開口部
５２：ディスクトレイパネル
５３：ディスクトレイ
５４：ディスクドライブ装置
５５：カバー
５６：取付ビス
５７：ブラケット
５８：下部取付ビス
５９：サブシャーシ
６０：ボトムシャーシ
６１：ディスクトレイパネル治具
６１ａ：ドライバ調整用孔
【図１】
2008146694.tif 000003
【図２】
2008146694.tif 000004
【図３】
2008146694.tif 000005
【図４】
2008146694.tif 000006
【図５】
2008146694.tif 000007